(57)【特許請求の範囲】
【請求項１】
デュアルモード表面波フィルタにおいて、
該デュアルモード表面波フィルタは、
選択的に対称また非対称に作動可能であり、
結合変換器を介して相互に結合された音響トラックを有しており、
前記トラック毎に、反射器の内側に配置された、入力側変換器ないしは出力側変換器として作用するインターデジタル変換器を有しており、
前記の音響トラック毎に入力側変換器および／または出力側変換器を直列変換器および並列変換器に分割することによって、該デュアルモード表面波フィルタの入力側変換器および／または出力側変換器のインピーダンスを均一な正規形の変換器に比べて変更することを特徴とする
デュアルモード表面波フィルタ。
【請求項２】
付加的に前記のフィルタの入力側変換器および／または出力側変換器のインピーダンスを重み付けによって決定する、
請求項１に記載のデュアルモード表面波フィルタ。
【請求項３】
入力側変換器および／または出力側変換器は除去重み付けがなされている、
請求項２に記載のデュアルモード表面波フィルタ。
【請求項４】
入力側変換器および／または出力側変換器はオーバーラップ重み付けがなされている、
請求項２に記載のデュアルモード表面波フィルタ。
【請求項５】
入力側変換器および／または出力側変換器は、音波の伝搬方向に対して、一部は垂直方向に一部水平方向に、部分変換器（Ｗ３〜Ｗ６ないしはＷ７〜Ｗ１２）に分割されており、該部分変換器（Ｗ３〜Ｗ６ないしはＷ７〜Ｗ１２）は直列ないしは並列接続されている、
請求項１に記載のデュアルモード表面波フィルタ。
【請求項６】
フィルタの所望の入力インピーダンスおよび／または出力インピーダンスに応じて、請求項１から５までの１項に記載の特徴部分の構成が選択的に組み合わされている、
請求項１から５までの少なくとも１項に記載のデュアルモード表面波フィルタ。
【発明の詳細な説明】
本発明は、以下では略してＤＭＳフィルタと称され、有利にはＬｉＮｂＯ3ベースまたはＬｉＴａＯ3ベース上に実現される、請求項１の上位概念に記載されたＤＭＳフィルタに関する。このＤＭＳフィルタは例えば高周波に適用する際に使用可能である。
通信システムでは信号は非対称または対称に処理され、信号処理の際に２つの動作モードが頻繁に切り換わる。このために入出力側で非対称／対称または対称／対称に作動可能なフィルタが必要である。さらに特定の回路コンセプトは、上記の特性を有しかつ付加的に異なる入出力インピーダンスを有するフィルタを要求する。
これらの要求をほぼ満たす相応の公知のＤＭＳフィルタ、すなわち対称または非対称に作動可能なＤＭＳフィルタは、概略的な図７に示されている。このＤＭＳ表面波フィルタ構造は、結合変換器３，４を介して相互に結合された音響トラックＡ，Ｂを有しており、トラック毎に短絡された反射器５，５ないしは６，６の内側に配置されたインターデジタル変換器Ｗ２０，Ｗ２１を備えている。このインターデジタル変換器Ｗ２０、Ｗ２１は、フィルタ入力側変換器およびフィルタ出力側変換器として動作しかつ直列接続されている。これまではこの形式のフィルタを実現する場合には、これらフィルタは両側すなわちフィルタ入力側および出力側にそれぞれ同じインピーダンス例えば５０オームを有していた。
本発明の課題は、対称にも非対称にも同じように作動可能な選択性の高い高周波フィルタ、すなわちいわゆるＢＡＬＵＮ機能を有する高周波フィルタを提供し、しかも入力側変換器および出力側変換器のインピーダンスが、図７に示した公知のＤＭＳフィルタとは異なり選択的に様々に設定できるようにすることである。
この課題を解決するために本発明では、請求項１の上位概念に記載したＤＭＳフィルタにおいて、このＤＭＳフィルタが、選択的に対称また非対称に作動可能であり、結合変換器を介して相互に結合された音響トラックを有しており、このトラック毎に、反射器の内側に配置された、入力側変換器ないしは出力側変換器として作用するインターデジタル変換器を有するようし、上記の音響トラック毎に入力側変換器および／または出力側変換器を直列変換器および並列変換器に分割することによって、このデュアルモード表面波フィルタの入力側変換器および／または出力側変換器のインピーダンスを均一の正規形変換器に比べて変更する。
例えば一様な正規指形変換器の幾何学的構造を変更することによって、すなわち除去重み付けまたはオーバーラップ重み付けによって、さらに場合によってはこれと組み合わせて変換器を、直列接続される複数の入力変換器に分割することによって、個別変換器の所望のインピーダンスの調整、ないしは場合によっては必要である、変換器毎に異なるインピーダンスの調整が常に可能である。
本発明の別の特徴は、従属請求項、実施例の説明および図面に記載されている。
図面にはそれぞれ以下が概略的に示されている。
図１および２は本発明にしたがって重み付けのなされた入力側変換器の第１および第２実施例である。
図３〜６は第３〜６の実施例によりインピーダンス（ここでは入力側変換器のインピーダンスである）を設定する別の例である。
図７は、冒頭ですでに説明したそれ自体公知のＤＭＳフィルタである。
実施例ではそれぞれ入力側変換器が示されているが、本発明は当然出力側変換器、および入力側変換器と出力側変換器との組合せにも適用することができる。これらの図ではそれぞれ同じ部材には同じ参照符号が付されている。
図１は、図示しないそれ自体公知の圧電基板例えばＬｉＮｂＯ3またはＬｉＴａＯ3基板上に被着された入力側変換器の構造を示している。この入力側変換器は、オーバーラップのない指形１０すなわちいわゆるブラインドフィンガー（Blindfinger）の配置により、除去重み付けがなされている。
図２には、入力側変換器の除去重み付けの代わりにオーバーラップ重み付けが示されている。このオーバーラップ重み付けに、場合によっては付加的に除去重み付けを行ってもよい。これは逆の場合に図１の構造に対しても当てはまることである。
図３の実施例では入力側変換器は音波の伝搬方向に対して垂直な方向に、直列接続される部分変換器Ｗ１，Ｗ２に分割されている。これによりインピーダンスは一様な正規指形変換器に比べてファクタ４だけ増大する。２つの部分変換器の共通のバス１は、必要に応じてアースするかまたはフローティング状態にする。
図４および５に示したように、入力側変換器を音波の伝搬方向に対して、一部は垂直方向に一部は水平方向に、部分変換器Ｗ３〜Ｗ６ないしはＷ７〜Ｗ１２に分割することができる。これらの部分変換器は直列ないしは並列に接続されている。図３の変換器とは異なり一部だけを垂直に分割することにより、インピーダンスは４より小さなファクタだけ増大する。
最後の図６には正規指形変換器が示されており、この正規指形変換器は、音波の伝搬方向に対して水平方向に、相互に鏡面対称な２つの部分変換器Ｗ１３，Ｗ１４に分割されており、これらの部分変換器Ｗ１３，Ｗ１４もまた直列接続されている。インピーダンスは、この構造によりファクタ４だけ増大する。部分変換器Ｗ１３およびＷ１４の共通のバス２もまたアースまたはフローティング状態にされる。
【図１】
0003976796.tif 000002
【図２】
0003976796.tif 000003
【図３】
0003976796.tif 000004
【図４】
0003976796.tif 000005
【図５】
0003976796.tif 000006
【図６】
0003976796.tif 000007
【図７】
0003976796.tif 000008